(57)【要約】 【目的】全世界で使用可能にする。【構成】ペン入力コンピュータ３に電話制御システム７、ＦＡＸ制御システム、データ伝送システムを載せる。各国を個々にサービスエリアとする無線電話ネットワークに接続する手段を備える。【選択図】図１
2006157965.tif 000002
【特許請求の範囲】
【請求項１】
公衆通信回線に無線によって接続され、該公衆通信回線を経由して発信、または受信を行う無線通信手段と、
上記公衆通信回線への接続仕様を記憶する接続仕様記憶手段と、
上記無線通信手段に対する制御指令の出力、上記無線通信手段を経由して上記公衆通信回線からデータを入力、または上記無線通信手段を経由して上記公衆通信回線にデータを送出する通信制御手段と、
上記接続仕様記憶手段の記憶内容に基づいて、上記無線通信手段、又は上記通信制御手段に接続仕様に関する信号を出力する接続仕様信号出力手段と、
上記無線通信手段と上記通信制御手段と上記接続仕様記憶手段と上記接続仕様出力手段とを組み合わせた状態で保持する筺体とを
備える携帯型コミュニケータ。
【発明の詳細な説明】
【技術分野】
【０００１】
本発明は、携帯型無線電話装置、又は携帯型無線データ通信装置に関する。
【背景技術】
【０００２】
従来、携帯型の情報装置として、無線呼出装置や無線電話装置が用いられている。
無線呼出装置は、呼出信号やメッセージを受信して、ビープ音を出力したり、或いはメッセージをディスプレイに表示する機能を有する。
【０００３】
無線電話装置は、公衆通信回線を経由して発信、又は受信する機能を有する。
無線電話装置は、通話に用いられたり、或いはＦＡＸ装置や携帯型のパーソナルコンピュータに接続される。
【発明の開示】
【発明が解決しようとする課題】
【０００４】
しかしながら従来の情報装置では、無線電話装置と、携帯型コンピュータとを持ち歩けば、個々の機能を活用することは可能であるが、全てを携帯することが現実的ではなく、かつ相互を組み合わせてそれらを複合した機能を得ることができなかった。
【０００５】
また、複数の国の公衆通信回線に無線で直接接続することができなかった。
本発明は、上記の問題を解決することを目的とする。
【課題を解決するための手段】
【０００６】
本発明の携帯型コミュニケータは、公衆通信回線に無線によって接続され、該公衆通信回線を経由して発信、または受信を行う無線通信手段と、上記公衆通信回線への接続仕様を記憶する接続仕様記憶手段と、上記無線通信手段に対する制御指令の出力、上記無線通信手段を経由して上記公衆通信回線からデータを入力、または上記無線通信手段を経由して上記公衆通信回線にデータを送出する通信制御手段と、上記接続仕様記憶手段の記憶内容に基づいて、上記無線通信手段、又は上記通信制御手段に接続仕様に関する信号を出力する接続仕様信号出力手段と、上記無線通信手段と上記通信制御手段と上記接続仕様記憶手段と上記接続仕様出力手段とを組み合わせた状態で保持する筺体とを備えることを要旨とする。
【発明の効果】
【０００７】
本発明の携帯型コミュニケータは、この携帯可能なこれ一台で、音声データ、ファクシミリデータ、又はその他のデータを、加工したり、あるいは公衆通信回線に接続された所望の相手に送ったり、先方から受けたりすることができる。
【０００８】
しかも、携帯型コミュニケータは、公衆通信回線との無線による接続仕様の相違、や種類に柔軟に対応することができる。つまり、様々な地域の無線通信網との間で通信を行うことが可能である。
【０００９】
この結果、利便性が高い情報交換装置が得られるという極めて優れた効果を奏する。
【発明を実施するための最良の形態】
【００１０】
本発明の携帯型コミュニケータは、通信制御手段が無線通信手段の制御指令を出力して、無線通信手段に公衆通信回線を経由しての発信、又は受信を行わせる。
または、通信制御手段が無線通信手段と、公衆通信回線とを経由して、データを送出す
る。
【００１１】
あるいは、通信制御手段が公衆通信回線と、無線通信手段とを経由して、データを入力する。
また、上記無線通信手段、又は通信制御手段が、上記公衆通信回線に接続される場合の接続仕様に関する信号を、接続仕様記憶手段の記憶内容に基づいて、接続仕様出力手段が出力する。
【００１２】
また、これらの機能を有する無線通信手段と、通信制御手段と、接続仕様記憶手段と、接続仕様出力手段とは、組み合わされた状態で筺体によって保持されている。
以上により、携帯型コミュニケータは、所定の接続仕様を有する公衆通信回線に無線で接続される機能を有する。また、公衆通信回線に接続された所定の接続仕様を有する通信先に接続される機能を有する。
【実施例】
【００１３】
次に本発明の実施例を説明する。図１、図２は、パーソナルコミュニケータ１の斜視図、図３は、そのブロック図である。
パーソナルコミュニケータ１は、ペン入力デバイス３と、本体５と、無線電話装置７とを備えている。ペン入力デバイス３は、収容枠９に保持されており、収容枠９と本体５とは、連結部１１で矢印ＹＹ方向に開閉可能に連結されている。収容枠９と、本体５との間には、図１に示す開いた状態の保持と、図２に示す閉じた状態の保持とを行なう図示しない保持機構が設けられている。
【００１４】
収容枠９には、マイク１３と、ディスプレイ１５と、オンスイッチ１７と、オフスイッチ１９とがペン入力デバイス３の近傍に取り付けられている。マイク１３の近傍には、「マイク」レタリング１３Ａが施されており、オンスイッチ１７の近傍には「オン」レタリング１７Ａ、オフスイッチ１９の近傍には「オフ」レタリング１９Ａが施されている。オンスイッチ１７と、オフスイッチ１９とは、各々２個のスイッチパネル１７ＡＡ、１７ＢＢ、１９ＡＡ、１９ＢＢを備えている。これらは、収容枠９の表面より３ミリメートル凹状態で配設されている。スイッチパネル１７ＡＡと、１７ＢＢとは、両方ともほぼ同時に操作された場合にオン信号を出力する。スイッチパネル１９ＡＡと、１９ＢＢとは、両方ともほぼ同時に操作された場合に、オフ信号を出力する。これにより、携帯時などに誤って手などが触れることによる誤操作が防止される。この結果、収容枠９の表面へのスイッチの取付が可能になる。
【００１５】
無線電話装置７と、本体５とは、収容箱２１に収容されている。収容箱２１には、図３に示すように、ＣＰＵ２３と、音声解析プロセッサ２４と、ＲＯＭ２５と、ＲＡＭ２７と、ＥＥＰＲＯＭ２９と、ペン入力コントローラユニット３１と、入力インタフェース３３と、蓄電池３５と、電源ソケット３７、３９と、全世界対応ユニット４０と、ＲＯＭソケット４２と、接続仕様ＲＯＭ４４と、電話コントローラ４１と、音声信号発生ユニット４３と、入出力コントローラ４５と、イヤー通話コントローラ４７と、イヤー通話器４９と、スピーカ５１と、スピーカオンスイッチ５２と、ディスプレイコントローラ５３と、入力ペン５５と、入力ペン収納孔５７と、ペン取り出しボタン５９と、出力インタフェース６１と、モニタランプ６３と、モニタスピーカ６５と、アッテネータ６６と、電話出力コントローラ６７と、電話出力コネクタ６９と、データ入出力コントローラ７１と、データ入出力コネクタ７３と、内蔵アプリケーションコネクタ７４と、カードコネクタ７５、７７と、カード収納部７９と、電源コントローラ８１と、スピーカ収納部８３と、イヤー通話器収納具８５と、足８７と、無線電話ユニット８９と、アンテナ９１と、アンテナ収納部９３とが備えられている。接続仕様ＲＯＭ４４は、ここでは無線電話を管理するために設立された団体から供給を受けるものである。これには、各国、及び各サービスエリアに
おいて、無線電話装置７をそれらの無線電話網にリンクさせるために必要とされるデータが予め書き込まれている。例えば、Ａ国のＡ１ブロックの無線電話網にリンクするための、電波形式や周波数、プロトコル、ＩＤ番号や衛星軌道上の電話通信衛星にリンクする為の接続仕様などが記憶されている。
【００１６】
内蔵アプリケーションコネクタ７４には、アプリケーションソフトウエアＲＯＭ９４が差し込まれる。アプリケーションソフトウエアＲＯＭ９４には、ワードプロセッサソフトと、データベースソフトとが格納されている。ワードプロセッサソフトは、パーソナルコミュニケータ１にワードプロセッサ機能を持たせるためのものである。データベースソフトは、パーソナルコミュニケータ１にデータベース機能を持たせるためのものである。
【００１７】
カード収納部７９には、アプリケーションソフトウエアカード９５、９７が収納される。アプリケーションソフトウエアカード９５、９７は、カードコネクタ７５、７７に接続される。電話出力コネクタ６９には、電話ケーブル９９が接続される。電話ケーブル９９は、ファクシミリ装置１０１に接続される。データ入出力コネクタ７３には、データ出力ケーブル１０３が接続される。データ出力ケーブル１０３は、パーソナルコンピュータ１０５、又はプリンタ１０７に接続される。
【００１８】
無線電話装置７は、無線電話ユニット８９と、イヤー通話コントローラ４７と、入出力コントローラ４５と、イヤー通話器４９と、スピーカ５１と、マイク１３と、アンテナ９１とから構成されており、図示しない無線電話網との間で、発信、及び受信を行う機能を有する。電話コントローラ４１は、ＣＰＵ４１からの指令に基づいて、入出力コントローラ４５と、無線電話ユニット８９とを制御する。音声信号発生ユニット４３は、ＣＰＵ２３からの指令に基づいて所定の音声を合成し、入出力コントローラ４５を経由して無線電話ユニット８９に出力する。
【００１９】
全世界対応ユニット４０は、接続仕様ＲＯＭ４４の記憶内容に基づいて、接続仕様に関する接続仕様信号ＳＳＳ１、ＳＳＳ２を電話コントローラ４１と、無線電話ユニット８９とに出力する。
【００２０】
入力インタフェース３３は、蓄電池３５の電圧と消費電流と充電電流とを検出する。電源コントローラ８１は、オンスイッチ１７が操作された場合には、パーソナルコミュニケータ１全体に電源を供給してアクティブ状態にし、オフスイッチ１９が操作された場合には、パーソナルコミュニケータ１の待機系に電源を供給して、待機状態にする。
【００２１】
ペン入力デバイス３は、液晶ディスプレイ３Ａと、センサ層３Ｂとを備えている。液晶ディスプレイ３Ａは、ペン入力コントローラユニット３１と接続されており、表示面３Ｃに所定の画像データを表示する。センサ層３Ｂは、ペン入力コントローラユニット３１に接続されており、液晶ディスプレイ３Ａの下に配設されて、入力ペン５５のペン先５５Ａの位置を検出する。入力ペン５５は、ペン先５５Ａの近傍に図示しないコイルが設けられている。入力ペン５５は、クリック／ドラッグ用のボタン５５Ｂを備えている。ペン入力デバイス３と、入力ペン５５とは、周知の電磁授受方式によって、ペン入力での位置を検出する。ペン入力デバイス３は、ＲＯＭ２５内に格納されているペン入力デバイスによって、キーボードを用いることなく文字入力の機能と、ポインティングデバイスの機能とを有する。
【００２２】
スピーカ５１は、図１に示すように、スピーカ本体５１Ａと、支持部材５１Ｂと、連結部材５１Ｃとを備えている。スピーカ本体５１Ａと、支持部材５１Ｂとは、連結部材５１Ｃによって矢印ＹＡ、ＹＢ方向に回動可能に連結されている。スピーカ本体５１Ａと、支持部材５１Ｂとは、矢印ＹＣ方向に押されることによって、スピーカ収納部８３に収納さ
れる。また、スピーカ５１は、スピーカオンスイッチ５２に接続されており、矢印ＹＤ方向に引き出されると、「オフ」状態から「オン」状態に切り替わる。支持部材５１Ｂは、図示しない排出機構に連結されており収納状態で、「押」レタリング部５１Ｄを矢印ＹＣ方向に押し込むと、スピーカ本体５１Ａを使用位置まで飛び出させる。図示しない排出機構には、スピーカオンスイッチ５２の図示しない操作リンクが取り付けられている。
【００２３】
イヤー通話器４９は、使用しない場合には、イヤー通話器収納具８５に収納されている。また、使用する場合には、引き出されて使用される。これは、使用後、指掛け孔８５Ｂに指を掛けて、矢印８５Ａに従ってイヤー通話器収納具８５を回動すると、収納される。
【００２４】
アンテナ９１は、通常、アンテナ収納部９３に収納されている。また、送受信状態を向上させる場合には、引き出して用いる。このため、矢印ＹＥ、ＹＦ方向の移動自由度と、矢印ＹＨ、ＹＧ方向への回動性とを備えている。
【００２５】
入力ペン５５は、図２に示すように、使用しない場合は、入力ペン収納孔５７内に格納されている。ペン取り出しボタン５９は、押し込まれると、入力ペン５５を飛び出させる図示しない排出機構に連結されている。
【００２６】
ＲＯＭ２５は、制御プログラムや変数テーブルを格納している。ＥＥＰＲＯＭ２９は、設定値や指定値などを保持する。
次にＣＰＵ２３によって実行される制御を説明する。
【００２７】
図４は、パーソナルコミュニケータ１の待機、及び充電状態の使用状態図である。これに示す状態で使用している場合に、モニタランプ６３とモニタスピーカ６５とによって、パーソナルコミュニケータ１の状況を一瞬で把握することができる。パーソナルコミュニケータ１は、足８７を下にして、図４に示すように台１１０上に立てての待機状態、及び外部電源装置１１１による充電電力の供給を受ける。
【００２８】
図５は、コミュニケータ制御処理ルーチンのフローチャート、図６は、現況報告画面の説明図である。
コミュニケータ制御処理ルーチンは、オンスイッチ１７からオン信号が出力されたときＣＰＵ２３によって起動され、次にオフスイッチ１９からオフ信号が出力されるまで繰り返し実行される。まず、現況調査が行われ（Ｓ４００）、次いで現況報告画面表示が実行される（Ｓ４１０）。図６がペン入力デバイス３の表示面３Ｃに表示される現況報告画面の一例である。現況報告画面には、現況報告表示１２１と、動作状態表示領域１２３と、メモリ残量表示１２５と、ＦＡＸデータ格納量表示１２７と、データ格納量表示１２９と、留守録格納量表示１３１と、ＦＡＸメニュー表示１３３と、データメニュー表示１３５と、電話メニュー表示１３７と、アプリケーションメニュー表示１３９と、設定メニュー表示１４１と、無線電話エリア国名表示１４３と、エリアブロック表示１４５とが表示されている。動作状態表示領域１２３には、図示は省略するが「受信待機中」、「ＦＡＸ受信中」、「データ受信中」、「ＦＡＸ送信中」、「呼出中」、「データ送信中」、「通話」、または「留守録中」の何れかが表示される。
【００２９】
メモリ残量表示１２５では、ＦＡＸ、データ、留守録の格納可能メモリ残量をパーセント表示する。
無線電話エリア国名表示１４３には、現在位置している無線電話エリアの国名が表示される。エリアブロック表示１４５には、現在位置している無線電話エリアのブロック名が表示される。これらは、ＲＡＭ２７内の現在エリアメモリ２７Ｏのデータ内容に基づいて行なわれる。
【００３０】
次いで判断を行う（Ｓ４２０）。判断では、入力ペン５５による項目の選択を待機する。
ここで、ＦＡＸメニュー表示１３３が選択された場合には、次にＦＡＸ処理を行う（Ｓ４３０）。各処理については、後述する。電話メニュー表示１３７が選択された場合には、電話処理を行う（Ｓ４４０）。データメニュー表示１３５が選択された場合には、データ処理を行う（Ｓ４５０）。アプリケーションメニュー表示１３９が選択された場合には、アプリケーション処理を行う（Ｓ４６０）。設定メニュー表示１４１が選択された場合には、設定処理を行う（Ｓ４７０）。
【００３１】
図７は、ＦＡＸ処理ルーチンのフローチャート、図８は、文書入力画面の説明図である。
図７のＦＡＸ処理ルーチンは、図５のＳ４３０の内容を示す。ＦＡＸ処理ルーチンが起動されると、まず文書入力画面が表示される（Ｓ５００）。文書入力画面は、図８に一例を示すように、メニュー領域１５１と、文書入力領域１５３とを備えている。メニュー領域１５１には、ＦＡＸメニュー表示１５５と、ＦＡＸ送信表示１５７と、受信ＦＡＸ表示表示１５９と、中止表示１６１とが表示されている。文書入力領域１５３は、始めは無地状態である。
【００３２】
文書入力画面の表示後、判断が行われる（Ｓ５１０）。判断では、文字入力が選択されたか、ＦＡＸメニュー表示１５５が選択されたか、ＦＡＸ送信表示１５７が選択されたか、受信ＦＡＸ表示表示１５９が選択されたか、あるいは中止表示１６１が選択されたかを見る。ここで、文字入力の選択とは、図８に示すように、入力ペン５５によって、文書入力領域１５３を選択した場合である。
【００３３】
文字入力が選択された場合には、次に文書処理が行われる（Ｓ５２０）。文書処理は、ペン入力コンピュータの文書入力機能の主要部分を占めるものであって、まず入力ペン５５によって指示された点、例えば点１６２に、カーソル１６３を表示する。次いで、ペン入力領域枠１６５の表示を行う。ペン入力領域枠１６５の表示後、ペン入力を待機する。ここで、図８に示すように、例えば平仮名入力があれば、それをなぞってペン入力領域枠１６５内に表示する。又、漢字入力があれば、該当する漢字を表示する。この後、入力ペン５５によって、変換表示１６７が選択されたら、辞書変換を行い、その変換後の文章をカーソル１６３の位置に表示する。また、再度、変換表示１６７が選択された場合には、第２候補の辞書変換を行う。入力文章は、次のペン入力があると確定される。また、削除表示１６９が選択されると、文書入力領域１５３内の文字やペン入力の軌跡を削除する処理が行われる。軌跡表示１７１が選択されると、文書入力領域１５３における入力ペン５５の軌跡がそのまま入力される。文書入力領域１５３に表示されている画像は、ＲＡＭ２７内のＦＡＸデータメモリ２７Ａに格納されている。
【００３４】
Ｓ５１０の判断において、ＦＡＸメニュー表示１５５が選択された場合には、次にＦＡＸメニュー処理を行い（Ｓ５３０）、ＦＡＸ送信表示１５７が選択された場合には、次にＦＡＸ送信処理を行い（Ｓ５４０）、受信ＦＡＸ表示表示１５９が選択された場合には、次に受信ＦＡＸ表示処理を行う（Ｓ５５０）。詳細は後述する。また、中止表示１６１が選択された場合には、本ルーチンをそのまま一旦終了する。
【００３５】
図９は、ＦＡＸメニュー処理ルーチンのフローチャート、図１０は、ＦＡＸメニュー画面の説明図である。
ＦＡＸメニュー処理が起動されると、まずＦＡＸメニュー画面の表示が行われる（Ｓ６００）。ＦＡＸメニュー画面は、図１０に一例を示すように、メニュー領域１８１と、文書選択領域１８３とを備えている。メニュー領域１８１には、次ページ表示１８５と、ＦＡＸ送信表示１８７と、受信ＦＡＸ表示表示１８９と、中止表示１９１と、削除表示１９
３とが表示されている。文書選択領域１８３には、文書選択表示１９４と、文書一覧１９５とが設けられており、文書一覧１９５には、文書名表示１９７が表示されている。
【００３６】
ＦＡＸメニュー画面の表示後、判断が行われる（Ｓ６１０）。判断では、文書選択が行われたか、あるいは次ページ表示１８５が選択されたか、ＦＡＸ送信表示１８７が選択されたか、受信ＦＡＸ表示表示１８９が選択されたか、中止表示１９１が選択されたか、削除表示１９３が選択されたかを判断する。
【００３７】
Ｓ６１０の判断で、次ページ表示１８５が選択された場合には、ページ変更処理が実行される（Ｓ６２０）。ページ変更処理では、文書一覧１９５が次ページに変更される。
ここで、文書選択、つまり何れかの文書名表示１９７が選択された場合には、次に文書処理を行う（Ｓ６３０）。文書処理では、まず図８に示した、文書入力画面を表示するとともに、選択された文書名表示１９７の文書ファイル２７Ｂに格納されている文書データを文書入力領域１５３に表示する。文書ファイル２７Ｂは、ＲＡＭ２７内に設定されている。以後、この表示された文書データに対して、既述したＳ５２０とほぼ同様の文書処理が行われる。つまり、予め用意していた文章を編集して、用いることができる。
【００３８】
判断で、ＦＡＸ送信表示１８７が選択された場合には、ＦＡＸ送信処理が実行され（Ｓ６４０）、受信ＦＡＸ表示表示１８９が選択された場合には、受信ＦＡＸ表示処理が実行され（Ｓ６５０）、削除表示１９３が選択された場合には、削除処理が実行される（Ｓ６６０）。また、中止表示１９１が選択された場合には、本ルーチンは、そのまま一旦終了される。
【００３９】
図１１は、ＦＡＸ送信処理ルーチンのフローチャート、図１２は、ＦＡＸ送信画面の説明図である。ＦＡＸ送信処理が起動されると、まずＦＡＸ送信画面の表示が行われる（Ｓ７００）。ＦＡＸ送信画面は、図１２に一例を示すように、メニュー領域２０１と、送信条件選択領域２０３とを備えている。メニュー領域２０１には、次ページ表示２０４と、設定表示２０５と、前ページ表示２０６と、中止表示２０７とが表示されている。送信条件選択領域２０３には、送信先選択表示２０９と、送信時間選択表示２１１と、現在時刻表示２１２と、送信先一覧２１３と、送信時間一覧２１５とが設けられており、送信先一覧２１３には、送信先名２１７が表示され、送信時間一覧２１５には、送信時間名２１９が表示されている。
【００４０】
現在時刻表示２１２は、現在時刻表示表示２１２Ａと、表示対象国名表示２１２Ｂと、時刻表示２１２Ｃとから構成されている。送信先名２１７は、名称表示２１７Ａと、国名表示２１７Ｂとを備えている。送信時間名２１９は、送信時間種別表示２１９Ａと、国名表示２１９Ｂとを備えている。
【００４１】
ＦＡＸ送信画面の表示後、判断が行われる（Ｓ７１０）。判断では、送信先選択が行われたか、送信時間選択が行われたか、設定表示２０５の選択が行われたか、あるいは中止表示２０７の選択が行われたかを判断する。ここで送信先選択、すなわち、何れかの送信先名２１７が選択された場合には、次に送信番号設定処理を実行する（Ｓ７２０）。送信番号設定処理では、まず選択された送信先名２１７に設定されている電話番号を、ＲＡＭ２７内の送信番号メモリ２７Ｃにセットする処理を行う。ここで送信先が外国である場合には、後述する発信番号の決定処理によって発信番号を決定する。セット後、判断処理に戻る。
【００４２】
判断処理で、送信時間選択、すなわち、何れかの送信時間名２１９が選択さている場合には、次に送信時間設定処理を実行する（Ｓ７３０）。送信時間設定処理では、まず選択された送信時間名２１９に設定されている送信時間を演算して、ＲＡＭ２７内の送信時間
メモリ２７Ｄにセットする処理を行う。送信時間が外国の場合には、時差の補正をおこなう。
【００４３】
セット後、次に設定された送信時間が即時かを判断し（Ｓ７４０）、即時でなければ、そのまま本ルーチンを一旦終了する。送信時間が即時であれば、次にＦＡＸ送信を実行する（Ｓ７５０）。ＦＡＸ送信処理は、無線電話装置７によって、ＲＡＭ２７内のＦＡＸデータメモリ２７Ａに格納されているＦＡＸデータを、送信番号メモリ２７Ｃに設定されている送信先に、ファクシミリ送信する処理を行う。これにより、ペン入力デバイス３によって入力した、文章や画像を、その場で、所望の先方にファクシミリ送信することができる。
【００４４】
Ｓ７１０の判断で、設定表示２０５が選択された場合には、次にＦＡＸ設定処理が実行される（Ｓ７６０）。ＦＡＸ設定処理では、用紙の大きさ、ファクシミリの規格、送信先の追加、変更、送信時間の追加、変更を、図示しないＦＡＸ設定処理ルーチンによって、行う。つまり、予め設定しておくべき送信条件が設定される。
【００４５】
判断で、中止表示２０７が選択された場合には、本ルーチンをそのまま一旦終了する。
図１３は、受信ＦＡＸ表示処理ルーチンのフローチャート、図１４は、受信ＦＡＸ一覧画面の説明図である。受信ＦＡＸ表示処理が起動されると、まず受信ＦＡＸ一覧画面表示が行われる（Ｓ８００）。受信ＦＡＸ一覧画面は、図１４に一例を示すように、メニュー領域２２１と、受信ＦＡＸ選択領域２２３とを備えている。メニュー領域２２１には、データ出力表示２２５と、中止表示２２７とが示されている。受信ＦＡＸ選択領域２２３には、受信ＦＡＸ一覧表示２２９と、受信ＦＡＸ一覧２３１とが設けられており、受信ＦＡＸ一覧２３１には、受信ＦＡＸ名２３３と、受信時間２３５と、発信国名２３７と、発信国時間２３９とが表示されている。
【００４６】
受信ＦＡＸ一覧画面の表示後、判断が行われる（Ｓ８１０）。判断では、選択が行われたか、データ出力表示２２５が選択されたか、あるいは中止表示２２７が選択されたかを判断する。
【００４７】
ここで何れかの受信ＦＡＸ名２３３が選択された場合には、次に受信ＦＡＸ表示処理を実行する（Ｓ８２０）。受信ＦＡＸ表示処理では、受信ＦＡＸ名２３３に対応する受信ＦＡＸデータメモリ２７Ｅの格納内容を、ペン入力デバイス３に画像表示する。
【００４８】
判断で、データ出力表示２２５が選択された場合には、データ出力処理を実行する（Ｓ８３０）。データ出力処理では、図示しないデータ出力画面を表示して、出力方法の選択を求め、選択された方法で受信ＦＡＸデータメモリ２７Ｅの格納内容を出力する。例えば、電話出力コネクタ６９を経由して、他のファクシミリ装置に出力したり、データ入出力コネクタ７３を経由して、他のコンピュータ装置に出力する。ファクシミリ装置に出力することにより、用紙への印刷が実行される。
【００４９】
判断で、中止表示２２７が選択された場合には、本ルーチンは、そのまま一旦終了する。
以上に説明した受信ＦＡＸ表示処理により、無線電話装置７を経由して受信し、受信ＦＡＸデータメモリ２７Ｅに格納されている受信ＦＡＸデータを、表示したり、外部に出力して印刷したりすることができる。
【００５０】
図１５は、削除処理ルーチンのフローチャートである。削除処理ルーチンが起動されると、まずＦＡＸ一覧画面の表示が行われる（Ｓ９００）。図示しないＦＡＸ一覧画面には、ＦＡＸデータメモリ２７Ａの格納内容と、受信ＦＡＸデータメモリ２７Ｅの格納内容と
を示すデータ名が表示される。次いで、選択されたＦＡＸを削除する処理を行う（Ｓ９１０）。選択されたＦＡＸを削除する処理では、図示しないＦＡＸ一覧画面上で、入力ペン５５によって選択されたデータ名に対応する格納データを削除する処理を行う。
【００５１】
本削除処理により、送信用、又は受信したＦＡＸデータで、不要になったものを削除することができる。
以上に説明した図５のコミュニケータ制御のＦＡＸ処理（Ｓ４３０）により、ＦＡＸの送信データの作成、送信、表示を入力ペン５５の操作だけで行うことができる。
【００５２】
図１６は、電話処理ルーチンのフローチャート、図１７、図１８は、電話メニュー画面の説明図、図１９は、発信番号の決定処理ルーチンのフローチャート、図２０は、番号入力画面の説明図、図２１は、国際ダイヤル直通画面の説明図、図２２は、国際オペレータ通話画面の説明図、図２３は、電話メニュー画面の説明図、図２４は、メッセージ選択画面の説明図である。
【００５３】
電話処理が起動されると、まず電話メニュー画面の表示が行われる（Ｓ１０００）。電話メニュー画面は、図１７に一例を示すように、メニュー領域２４１と、発信選択領域２４３とを備えている。メニュー領域２４１には、設定表示２４５と、留守録表示表示２４７と、中止表示２４９とが表示されている。発信選択領域２４３には、発信先選択（次ページ）表示２５１と、発信先一覧２５３と、発信条件表示２５４と、発信条件一覧２５５とが設けられており、発信先一覧２５３には、番号入力表示２５６と、発信先名２５７と、国名２５８とが表示されており、発信条件一覧２５５には、発信条件名２５９が表示されている。
【００５４】
ここで、発信先選択（次ページ）表示２５１の次ページ表示２５１Ａを選択すると、図１８に示す電話メニュー画面に変更される。この電話メニュー画面には、発信先選択表示２６４と、サービス発信先一覧２６５とが設けられている。サービス発信先一覧２６５には、サービス名称２６６が表示されている。サービス名称２６６としては、「１国際ダイヤル直通」表示２６６Ａと、「２国際オペレータ通話」表示２６６Ｂと、「Ａ国オペレータ」表示２６６Ｃと、「Ｂ国オペレータ」表示２６６Ｄと、「Ａ国言語オペレータ」表示２６６Ｅと、「Ａ国Ｂ国翻訳サービス」表示２６６Ｆと、「Ａ国言語サービス」表示２６６Ｇとが表示されている。
【００５５】
「１国際ダイヤル直通」表示２６６Ａは、ダイヤル直通で国際電話を発信するサービス表示である。「２国際オペレータ通話」表示２６６Ｂは、国内の国際電話オペレータを介して発信するサービス表示である。「Ａ国オペレータ」表示２６６Ｃは、Ａ国の国際電話オペレータを介して発信するサービス表示である。「Ｂ国オペレータ」表示２６６Ｄは、Ｂ国の国際電話オペレータを介して発信するサービス表示である。「Ａ国言語オペレータ」表示２６６Ｅは、Ａ国言語を話す国際電話オペレータを介して発信するサービス表示である。「Ａ国Ｂ国翻訳サービス」表示２６６Ｆは、通話先との間に入って、Ａ国言語とＢ国言語との間の翻訳を行なうサービス表示である。「Ａ国言語サービス」表示２６６Ｇは、Ａ国言語を話すサービスオペレータを呼び出すサービス表示である。このサービスオペレータは、情報提供や手続代行などのサービスを行う。
【００５６】
電話メニュー画面の表示後、次に判断を行う（Ｓ１０１０）。判断では、番号入力表示２５６、発信先名２５７、又はサービス名称２６６の何れかが選択されたか、設定表示２４５が選択されたか、留守録表示表示２４７が選択されたか、中止表示２４９が選択されたかを判断する。
【００５７】
ここで、番号入力表示２５６、発信先名２５７、又はサービス名称２６６の何れかが選
択された場合には、次に現在エリアの入力を行って（Ｓ１００１）、発信番号の決定を行う（Ｓ１００２）。現在エリアの入力では、現在位置している無線電話エリアの国名とブロック名とを現在エリアメモリ２７Ｏから入力する。
【００５８】
発信番号の決定では、図１９に示すように、まず判断を行って（Ｓ１００３）、その判断結果に応じた選択・入力処理を行う（Ｓ１００４）。判断では、番号入力表示２５６が選択されたか、発信先名２５７が選択されたか、あるいはサービス名称２６６が選択されたかを判断する。
【００５９】
番号入力表示２５６が選択されたと判断した場合には、まず図２０の（Ａ）に示すような番号入力画面３０１を表示する。番号入力画面３０１は、番号入力枠３０３と、入力番号表示領域３０５とを備えている。番号入力枠３０３には、ペン入力領域３０３Ａと、圧縮領域３０３Ｂと、削除表示３０３Ｃと、終了表示３０３Ｄと、圧縮領域表示３０３Ｅとが設けられている。ペン入力領域３０３Ａは、入力ペン５５による電話番号の入力を受け入れる。圧縮領域３０３Ｂは、この領域内に入力された数字を左詰め開始する部分である。これにより、図２０の（Ｂ）のように、ペン入力を行う圧縮領域３０３Ｂの範囲を残したままで、多数桁の数字が番号入力枠３０３内に、入力される。入力番号表示領域３０５は、番号入力枠３０３内に入力された電話番号を表示する。圧縮領域表示３０３Ｅは、ペン入力が圧縮入力されることを教示する。
【００６０】
入力番号表示領域３０５に表示された電話番号は、終了表示３０３Ｄが選択されたとき、送信番号メモリ２７Ｃに格納される。
Ｓ１００３の判断で、発信先名２５７が選択されたと判断された場合には、選択された発信先名に登録されている電話番号を、送信番号メモリ２７Ｃに格納する。
【００６１】
Ｓ１００３の判断で、サービス名称２６６が選択されたと判断した場合には、選択されたサービス名称２６６に対応する画面表示を実行する。
ここで、「１国際ダイヤル直通」表示２６６Ａが選択された場合には、図２１に示す国際ダイヤル直通画面３１１を表示する。国際ダイヤル直通画面３１１には、国際ダイヤル直通表示３１３と、先方国一覧３１５と、番号入力枠３１７とが設けられている。
【００６２】
先方国一覧３１５には、先方国名３１９が表示されている。
先方国名３１９の選択と、番号入力枠３１７への電話番号の入力が行われると、そのデータは、送信番号メモリ２７Ｃに格納される。
【００６３】
また、「２国際オペレータ通話」表示２６６Ｂが選択されたと判断した場合には、図２２に示す国際オペレータ通話画面３２１を表示する。国際オペレータ通話画面には、通話種別一覧３２３が設けられている。通話種別一覧３２３には、番号通話表示３２３Ａと、指名通話表示３２３Ｂと、コレクトコール表示３２３Ｃと、クレジットコール表示３２３Ｄとが表示されている。
【００６４】
通話種別一覧３２３の中から通話種別の選択が行われると、そのデータは、送信番号メモリ２７Ｃに格納される。
図１８のサービス発信先一覧２６５の中から、表示２６６Ｃないし２６６Ｇが選択された場合には、このデータが送信番号メモリ２７Ｃに格納される。
【００６５】
以上の処理により、選択されたり、あるいは入力された電話番号のデータが送信番号メモリ２７Ｃに格納されて後、次に図１９の国際通信会社の決定が行われる（Ｓ１００５）。この国際通信会社の決定処理では、送信番号メモリ２７Ｃのデータ内容に基づいて、通信先が国外である場合には、国際通信に利用する国際通信会社を決定する。例えば、ＫＤ
Ｄを利用するとか、他の国際通信会社を利用するとかを、サービス内容、料金などを考慮して決定する。
【００６６】
次に、サービス名の決定を行い（Ｓ１００６）、次いで国番号の決定を行う（Ｓ１００７）。サービス名は、送信番号メモリ２７Ｃのデータ内容に基づいて決定する。例えば、オペレータ通話のコレクトコールサービスを利用するとかを決定する。国番号は、送信先の国番号を決定する。
【００６７】
Ｓ１００５〜Ｓ１００７の決定の後、電話番号の決定を行う（Ｓ１００８）。電話番号は、国際通信会社と、サービス名と、国番号とに基づいて決定する。
次いで、発信番号を生成する（Ｓ１００９）。発信番号は、現在エリアのデータに基づいて、無線電話でリンクするためのアクセス番号と、電話番号とに基づいて生成する。例えば、Ａ国のＡ１ブロックの無線電話局に無線電話でリンクし、Ａ国際電話局を経由して、Ｂ国のＢ１ブロックに位置する通話相手に、オペレータ通話によるコレクトコールを行うための一連の発信番号を生成したり、あるいはＡ国上で、衛星軌道上の電話交換システムを利用して、Ｂ国上の通話相手に、ダイレクトコールを行うための一連の発信番号を生成する。
【００６８】
生成された発信番号は、送信番号メモリ２７Ｃに格納する。
発信番号の格納後、図１６の判断を実行する（Ｓ１０２０）。この判断では、図１７の発信条件名２５９の中から、即時表示２６１が選択されたか、メッセージ送信表示２６３が選択されたか、あるいは設定表示２４５、留守録表示表示２４７、中止表示２４９が選択されたかを判断する。ここで、即時表示２６１が選択された場合には、電話発信が行われる（Ｓ１０３０）。電話発信では、Ｓ１００９で生成された発信番号に電話を発信する。これにより、先方との通話が可能になる。
【００６９】
電話発信処理が行われると、次に通話中処理が行われる（Ｓ１０３３）。通話中処理では、まず図２３に示す通話中画面２６９を表示する。通話中画面２６９には、通話先名称表示２６９Ａと、国際通信会社名表示２６９Ｂと、サービス名表示２６９Ｃと、通話終了表示２６９Ｄとが設けられている。
【００７０】
通話中処理の後、次に判断を行う（Ｓ１０３４）。判断では、通話中画面の選択内容を判断する。ここで、通話終了表示２６９Ｄが選択された場合には、本ルーチンをそのまま一旦終了する。
【００７１】
Ｓ１０２０の判断において、メッセージ送信表示２６３が選択された場合には、次にメッセージ選択画面を表示する（Ｓ１０４０）。メッセージ選択画面は、図２４に一例を示すように、メニュー領域２７１と、メッセージ選択領域２７３とが表示されている。メニュー領域２７１には、電話発信表示２７５と、中止表示２７７とが表示されている。メッセージ選択領域２７３には、メッセージ選択表示２７９と、メッセージ一覧２８１とが設けられており、メッセージ一覧２８１には、メッセージ名２８３が表示されている。
【００７２】
メッセージ選択画面の表示後、次に判断を行う（Ｓ１０５０）。判断では、中止表示２７７が選択されたか、あるいは何れかのメッセージ名２８３が選択されたかを判断する。ここで、中止表示２７７が選択された場合には、本ルーチンを一旦終了し、何れかのメッセージ名２８３が選択された場合には、次に選択されたメッセージ名２８３に対応する内容を表示する。ここでの表示画面の図示は省略する。表示される内容は、ＲＡＭ２７内のメッセージデータメモリ２７Ｆに格納されている。メッセージデータメモリ２７Ｆの内容は、図示しないメッセージ内容追加、変更ルーチンによって、入力ペン５５を用いて、予め格納される。
【００７３】
内容の表示後、判断が行われる（Ｓ１０７０）。判断で、図示しない電話発信表示が選択された場合には、電話発信を行う（Ｓ１０３０）。ここでの電話発信では、先方への接続後、選択されたメッセージが音声で、自動的に出力される。ここで、先方から応答があった場合には、その音声データが受信電話録音メモリ２７Ｇに、格納される。この内容は、図示しない受信電話録音再生処理により、再生される。
【００７４】
判断で、図示しない中止表示が選択された場合には、そのまま本ルーチンを一旦終了する。これにより、メッセージ送信は、中止される。
電話メニュー画面の表示状態において、設定表示２４５が選択された場合には、次に設定処理が行われる（Ｓ１０８０）。設定処理では、表示項目の変更追加削除及び、留守録の設定などの処理を行う。
【００７５】
図２５は、設定処理ルーチンのフローチャート、図２６は、設定対象選択画面の説明図、図２７は、全世界関連設定処理ルーチンのフローチャート、図２８は、無線電話サービスエリア選択画面の説明図、図２９は、サービスエリアの説明図である。
【００７６】
図５のＳ４２０で設定メニュー表示１４１が選択された場合には、図２５に示す設定処理が実行される。
まず、設定対象選択画面が表示される（Ｓ２０００）。設定対象選択画面には、図２６に示すように、設定対象選択表示４１１と、設定対象一覧４１３と、中止表示４１７とが設けられている。設定対象一覧４１３には、設定対象名表示４１５が表示されている。
【００７７】
設定対象選択画面の表示後、次に判断を行う（Ｓ２０１０）。判断で、中止表示４１７が選択された場合には、本ルーチンをそのまま一旦終了する。一方、設定対象一覧４１３の何れかが選択された場合には、次の設定処理を実行する。
【００７８】
全世界関連表示４２０が選択された場合には、全世界関連設定処理が実行される（Ｓ２０１５）。
全世界関連設定処理は、図２７に示すように、まず無線電話サービスエリア選択画面の表示を行う（Ｓ２１００）。無線電話サービスエリア選択画面４４１は、ＲＡＭ２７内のサービスエリア画面メモリ２７Ｐのデータに基づいて作成されるものであって、図２８に示すように、無線電話サービスエリア選択表示４４３と、無線電話サービスエリア一覧４４５とを備えている。無線電話サービスエリア一覧４４５は、無線電話装置７によるリンクが可能な地域を示すものであって、無線電話サービスエリア表示４４５Ａを備えている。無線電話サービスエリア表示４４５Ａは、国名表示４４７と、エリアブロック表示４４９と、選択表示４５１と、運用状態表示４５３とを備えている。国名表示４４７は、図２９に示すような国の名称を示すものである。エリアブロック表示４４９は、国内において、所定の範囲毎に区分されたエリアブロックの利用可能な範囲を示すものである。選択表示４５１は、無線電話装置７によるリンクを行うか否かを示すものである。運用状態表示４５３は、無線電話装置７が現在リンク可能な現運用エリアであるか、あるいは現在リンク不可能な運用エリア外であるかを示すものである。例えば、図２９のＢ国サービスエリア内にいても、Ａ国サービスエリアとの間で無線電話のリンクが可能で有れば、Ａ国表示の部分に、現運用エリアの表示が行われる。
【００７９】
無線電話サービスエリア選択画面の表示後、現在エリアの入力を行う（Ｓ２１１０）。次いで、判断を行って（Ｓ２１２０）、何れかの無線電話サービスエリア表示４４５Ａの選択がおこなわれたら、次にサービスエリア選択処理を行う（Ｓ２１３０）。また、未選択、前ページ、次ページで有れば、無線電話サービスエリア選択画面表示を繰り返す。削除表示４５５で有れば、削除処理を行い（Ｓ２１４０）、終了表示４５７で有れば、サー
ビスエリア変更処理を行って（Ｓ２１５０）、本ルーチンを一旦終了する。
【００８０】
図３０は、サービスエリア選択処理ルーチンのフローチャート、図３１は、サービスエリア変更処理ルーチンのフローチャートである。
図３０のサービスエリア選択処理は、Ｓ２１３０の処理内容を示すものであって、まず既選択のサービスエリアデータの入力を行う（Ｓ２２００）。既選択のサービスエリアとは、前回までの本ルーチンによって選択されたサービスエリアのことである。例えば、図２８の選択表示４５１が「選択」状態の無線電話サービスエリア表示４４５Ａがこれに該当する。
【００８１】
次に、今回選択のサービスエリアデータの入力を行う（Ｓ２２１０）。
既選択のサービスエリアと、今回選択のサービスエリアとのデータの入力後、次に選択のサービスエリアを同時に選択することの判断を行う（Ｓ２２２０）。この判断は、電波形式やプロトコルなどを考慮して、無線電話装置７が選択されたサービスエリアの全てに対して、リンク可能であるかを判断する。
【００８２】
判断の処理の後、次に同時選択が可能であるかを判断し（Ｓ２２３０）、全て同時選択が可能であると判断されている場合には、今回選択されたサービスエリアを、追加する処理を実行する（Ｓ２２４０）。
【００８３】
また、図２８の選択表示４５１は、「選択」に変更され、運用状態表示４５３は、それまでの「ー」表示から、「現運用エリア」表示か、あるいは「運用エリア外」表示の何れかに、切り換えられる。
【００８４】
Ｓ２２３０において、同時選択が可能ではないと判断された場合には、追加が不可であるとの表示を行う（Ｓ２２５０）。追加が不可であるとの表示は、図２８の無線電話サービスエリア選択画面４４１中に行う。
【００８５】
以上の、サービスエリア選択処理により、接続仕様ＲＯＭ４４ないに予め登録されている利用可能な無線電話リンクエリアの中から、利用するエリアを選択することができる。
終了表示４５７が選択された場合に実行されるサービスエリア変更処理は、図３１に示すように、まず選択されたサービスエリアデータを入力する処理を行う（Ｓ２３００）。これは、図３０のサービスエリア選択処理における変数データから行う。
【００８６】
次いで、全世界対応ユニットに選択信号を出力する（Ｓ２３１０）。これは、全世界対応ユニット４０の変数メモリ４０Ａに選択フラグを設定することにより行う。これにより、全世界対応ユニット４０は、選択されたサービスエリアのデータを、変数メモリ４０Ａ内に格納する。
【００８７】
図２５のＳ２０１０において、ＦＡＸ送信表示４２１が選択された場合には、ＦＡＸ送信設定処理が実行される（Ｓ２０２０）。ＦＡＸ受信表示４２３が選択された場合には、ＦＡＸ受信設定処理（Ｓ２０３０）、データ送信表示４２５が選択された場合には、データ送信設定処理（Ｓ２０４０）、データ受信表示４２７が選択された場合には、データ受信設定処理（Ｓ２０４５）、電話発信表示４２９が選択された場合には、電話発信設定処理（Ｓ２０５０）、電話受信表示４３１が選択された場合には、電話受信設定処理（Ｓ２０６０）が実行される。
【００８８】
Ｓ２０２０〜Ｓ２０６０の各設定処理では、所定の手順に従って、所定の内容の設定が行われる。
以上に説明したコミュニケータ制御により、使用者のデータの入出力や設定が行われる
。
【００８９】
図３２は、サービスエリア管理処理ルーチンのフローチャートである。これは、全世界対応ユニット４０によって所定時間毎に起動される。まず、全世界関連設定が起動されたかを判断する（Ｓ２４００）。ここで、起動されていなければ、本ルーチンをそのまま一旦終了する。全世界関連設定が起動されていれば、登録サービスエリアデータの出力を行う（Ｓ２４１０）。登録サービスエリアデータの出力は、接続仕様ＲＯＭ４４内に格納されているデータと、全世界対応ユニット４０の変数メモリ４０Ａ内に格納されているデータとを、所定のデータ形式に変換して、サービスエリア画面メモリ２７Ｐに書き込む。この処理により、図２７のＳ２１００における無線電話サービスエリア選択画面が形成される。
【００９０】
次いで、選択フラグの入力を行って（Ｓ２４４０）、サービスエリア選択の変更有りかを判断する（Ｓ２４５０）。選択フラグは、変数メモリ４０Ａから読み込む。ここでサービスエリア選択の変更がなければ、本ルーチンをそのまま一旦終了する。一方、変更が有れば、その内容で無線電話ユニット８９の設定と（Ｓ２４６０）、電話コントローラ４１の設定とを行う（Ｓ２４７０）。これにより、無線電話装置７がサービスエリアにリンクされる。
【００９１】
図３３は、無線電話サービスエリア一覧画面４６１の説明図である。この画面は、図６に示した現況報告画面中の無線電話エリア国名表示１４３と、エリアブロック表示１４５との部分を入力ペン５５で選択した場合に表示されるものである。この無線電話サービスエリア一覧画面４６１は、現在選択されている国名の表示と、エリアブロックの表示とを備えている。これにより、現在の無線電話の設定状態が一覧できる。
【００９２】
図３４は、ＦＡＸ送信時間モニタ処理ルーチンのフローチャート、図３５は、データ送信時間モニタ処理ルーチンのフローチャートである。これは、ＣＰＵ２３によって所定時間毎に起動される。図３４のＦＡＸ送信時間モニタ処理が起動されると、まず送信待があるか否かを判断する（Ｓ２５００）。送信待は、ＦＡＸデータメモリ２７Ａ内に、ＦＡＸデータが格納されているか否かで判断する。ここで、送信待でないと判断した場合には、本ルーチンをそのまま一旦終了する。一方、送信待があれば、次に送信時間か否かを判断する（Ｓ２５１０）。送信時間は、送信時間メモリ２７Ｄに設定されている送信時間を現在時刻と対比することにより行う。
【００９３】
ここで、送信時間でなければ、本ルーチンをそのまま一旦終了する。送信時間であれば、次にＦＡＸ送信を行う（Ｓ２５２０）。
以上に説明したＦＡＸ送信時間モニタ処理により、ＦＡＸの予約送信が行われる。
【００９４】
図３５のデータ送信時間モニタが起動されると、まず送信待ちがあるかが判断される（Ｓ２６００）。送信待は、送信データメモリ２７Ｍ内に、データが格納されているか否かで判断する。ここで、送信待でないと判断した場合には、本ルーチンをそのまま一旦終了する。一方、送信待があれば、次に送信時間か否かを判断する（Ｓ２６１０）。送信時間は、データ送信時間メモリ２７Ｌに設定されている送信時間を現在時刻と対比することにより行う。
【００９５】
ここで、送信時間でなければ、本ルーチンをそのまま一旦終了する。送信時間であれば、次にデータ送信を行う（Ｓ２６２０）。
以上に説明したデータ送信時間モニタ処理により、データの予約送信が行われる。
【００９６】
以上に説明したパーソナルコミュニケータ１は、電話通話、ＦＡＸ通信、データ通信、
各種アプリケーション処理などを、キーボード操作を行うことなく行なうことができるとともに、これらの全てを一式携帯することができる。
【００９７】
しかも、外国への通話が最適な国際通信会社を経由して実行され、経済的、時間的な利便性を向上することができる。また、パーソナルコミュニケータ１を、国内の他の無線電話のサービスエリアや国外の無線電話のサービスエリアにおいても常時使用している無線電話のサービスエリアと同様に使用することができ、良好な使用感を常時得ることができる。その上、このサービスエリアに対する適合性の高さから、既存の無線通信サービスネットを有効に活用でき、総合的コストの低減を図ることができる。
【００９８】
なお、本発明は上記の実施例に限定されるものでなく、本発明の要旨を変更しない範囲で、様々な態様への変更が可能である。
例えば、例えば、発信先名称から国際通信会社と、サービス名称とを決定する場合に、所定の付加価値通信網サービスを選択して、このサービスによる料金の低減が享受される事を自動的に実行する構成を付加しても良い。
【００９９】
また、現在位置で、現在無線電話の接続を行う事が可能な無線通信サービス網が複数ある場合には、これの名称を表示して、メニュー方式で選択する構成を付加したり、あるは料金やサービス内容などを考慮して、接続する無線通信網を自動的に選択する構成を付加しても良い。
【０１００】
あるいは、国際通信網を経由しての、先方の国内通信網段階での、通信サービス網をメニュー方式で選択したり、あるいは料金やサービス内容を考慮して、自動的に選択する構成を付加しても良い。
【図面の簡単な説明】
【０１０１】
【図１】パーソナルコミュニケータ１の斜視図である。
【図２】パーソナルコミュニケータ１の斜視図である。
【図３】パーソナルコミュニケータ１のブロック図である。
【図４】パーソナルコミュニケータ１の待機、及び充電状態の使用状態図である。
【図５】コミュニケータ制御処理ルーチンのフローチャートである。
【図６】現況報告画面の説明図である。
【図７】ＦＡＸ処理ルーチンのフローチャートである。
【図８】文書入力画面の説明図である。
【図９】ＦＡＸメニュー処理ルーチンのフローチャートである。
【図１０】ＦＡＸメニュー画面の説明図である。
【図１１】ＦＡＸ送信処理ルーチンのフローチャートである。
【図１２】ＦＡＸ送信画面の説明図である。
【図１３】受信ＦＡＸ表示処理ルーチンのフローチャートである。
【図１４】受信ＦＡＸ一覧画面の説明図である。
【図１５】削除処理ルーチンのフローチャートである。
【図１６】電話処理ルーチンのフローチャートである。
【図１７】電話メニュー画面の説明図である。
【図１８】電話メニュー画面の説明図である。
【図１９】発信番号の決定処理ルーチンのフローチャートである。
【図２０】番号入力画面の説明図である。
【図２１】国際ダイヤル直通画面の説明図である。
【図２２】国際オペレータ通話画面の説明図である。
【図２３】電話メニュー画面の説明図である。
【図２４】メッセージ選択画面の説明図である。
【図２５】設定処理ルーチンのフローチャートである。
【図２６】設定対象選択画面の説明図である。
【図２７】全世界関連設定処理ルーチンのフローチャートである。
【図２８】無線電話サービスエリア選択画面の説明図である。
【図２９】サービスエリアの説明図である。
【図３０】サービスエリア選択処理ルーチンのフローチャートでる。
【図３１】サービスエリア変更処理ルーチンのフローチャートである。
【図３２】サービスエリア管理処理ルーチンのフローチャートである。
【図３３】無線電話登録エリア一覧画面の説明図である。
【図３４】ＦＡＸ送信時間モニタ処理ルーチンのフローチャートである。
【図３５】データ送信時間モニタ処理ルーチンのフローチャートである。
【符号の説明】
【０１０２】
１…パーソナルコミュニケータ
３…ペン入力デバイス
５…本体
７…無線電話装置
４０…全世界対応ユニット
４１…電話コントローラ
４４…接続仕様ＲＯＭ
【図１】
2006157965.tif 000003
【図２】
2006157965.tif 000004
【図３】
2006157965.tif 000005
【図４】
2006157965.tif 000006
【図５】
2006157965.tif 000007
【図６】
2006157965.tif 000008
【図７】
2006157965.tif 000009
【図８】
2006157965.tif 000010
【図９】
2006157965.tif 000011
【図１０】
2006157965.tif 000012
【図１１】
2006157965.tif 000013
【図１２】
2006157965.tif 000014
【図１３】
2006157965.tif 000015
【図１４】
2006157965.tif 000016
【図１５】
2006157965.tif 000017
【図１６】
2006157965.tif 000018
【図１７】
2006157965.tif 000019
【図１８】
2006157965.tif 000020
【図１９】
2006157965.tif 000021
【図２０】
2006157965.tif 000022
【図２１】
2006157965.tif 000023
【図２２】
2006157965.tif 000024
【図２３】
2006157965.tif 000025
【図２４】
2006157965.tif 000026
【図２５】
2006157965.tif 000027
【図２６】
2006157965.tif 000028
【図２７】
2006157965.tif 000029
【図２８】
2006157965.tif 000030
【図２９】
2006157965.tif 000031
【図３０】
2006157965.tif 000032
【図３１】
2006157965.tif 000033
【図３２】
2006157965.tif 000034
【図３３】
2006157965.tif 000035
【図３４】
2006157965.tif 000036
【図３５】
2006157965.tif 000037